(57)【要約】【課題】  信頼性の高い画像情報配送システムを構成できる画像情報配送方法を得る。【解決手段】  画像情報を格納するハードディスク装置を含む複数の携帯部と、多数の画像情報を蓄積した画像サーバーとより構成される画像情報配送システムにおいて、前記各携帯部に識別信号を付与し、携帯部からの画像情報の配送要求に際して自己の識別信号を送付し、画像サーバーでは送付された識別信号を確認したものに対してのみ、要求された画像情報の配送を実行する。【選択図】    図５
2005295552.tif 000002
【特許請求の範囲】
【請求項１】
画像情報を格納するハードディスク装置を含む画像記録再生装置の複数の携帯部と、多数の画像情報を蓄積した画像サーバーとより構成される画像情報配送システムにおいて、前記各携帯部に識別信号を付与し、携帯部からの画像情報の配送要求に際して自己の識別信号を送付し、画像サーバーでは送付された識別信号を確認したものに対してのみ、要求された画像情報の配送を実行することを特徴とする画像情報配送方法。
【請求項２】
前記画像情報の配送が予め登録された会員にのみ配送されることを特徴とする請求項１に記載の画像情報配送方法。
【請求項３】
前記画像情報の配送が有料であることを特徴とする請求項１または２に記載の画像情報配送方法。
【発明の詳細な説明】
【技術分野】
【０００１】
本発明は、画像情報を格納するハードディスク装置を含む画像記録再生装置の複数の携帯部と、多数の画像情報を蓄積した画像サーバーとより構成される画像情報配送システムにおける画像情報配送方法に関するものである。
【背景技術】
【０００２】
従来から、画像記録再生装置として、ＶＴＲ（ビデオテープレコーダ）が良く知られている。ＶＴＲはビデオテープを媒体として画像情報の記録再生を行っている。この場合の画像情報とは映像情報と音声情報のどちらか一方か両方を含んでいる。
また、近年ビデオテープとは異なる記録媒体であるハードディスク等の記録媒体に画像情報を記録する画像記録再生装置が種々提案されている。ハードディスク装置を用いる画像記録再生装置の場合には、ランダムアクセスが可能で、希望する映像の頭出しを素早く行うことができ、ノンリニアの編集等が可能であるという、ビデオテープを使用したＶＴＲにはない優れた特徴がある。また、ハードディスク装置を用いて、複数のチャンネルを同時に録画再生したり、複数の出力端子に別々の映像を出力したりする技術も提案されている（特許文献１）。
【０００３】
一方、昨今の画像情報のデジタル化に伴い、画像情報を格納し、かつリムーバブルに扱えるメディア開発への要求が高まってきている。現在、これらの領域ではデジタルビデオテープやＤＶＤをはじめとするメディアが知られているが、デジタルビデオテープでは既存のＶＨＳなどと同様、頭出し性能などで圧倒的にＤＶＤなどに劣る。また、ＤＶＤではその記録容量が４．７ＧＢにとどまり、２時間映画１本でも高画質では収まりきらないという不便さが残っている。そこで、これらの課題を解決すべく、ハードディスク装置を用いた大容量リムーバブルメディアの開発が必要となってきている。
【特許文献１】特開平１１−３０６７４１号公報
【発明の開示】
【発明が解決しようとする課題】
【０００４】
従来の画像記録再生装置は、装置の規模が大きいという問題点、また、携帯性に欠けるという問題点があった。このため、携帯部及び本体部が２分割できる構成のハードディスク装置を用いた画像記録再生装置が好ましい。
このような画像記録再生装置では、画像情報を格納するハードディスク装置中心とした携帯部と、多数の画像情報を蓄積した画像サーバーの本体部との間の画像情報配送システムが必要である。この画像情報配送システムの信頼性を如何に高いものとするかが課題として挙げられる。
【０００５】
（発明の目的）
本発明の目的は、画像情報を格納するハードディスク装置を中心とした複数の携帯部と、多数の画像情報を蓄積した画像サーバーとより構成される画像情報配送システムおいて、信頼性の高い画像情報配送システムを構成できる画像情報配送方法を得ることを目的とする。
【課題を解決するための手段】
【０００６】
上記課題を解決するために、画像情報を格納するハードディスク装置を中心とした複数の携帯部と、多数の画像情報を蓄積した画像サーバーとより構成される画像情報配送システムにおいて、前記各携帯部に識別信号を付与し、携帯部からの画像情報の配送要求に際して自己の識別信号を送付し、画像サーバーでは送付された識別信号を確認したものに対してのみ、要求された画像情報の配送を実行することによって、信頼性の高い画像情報配送システムを構成できる。（請求項１）
【０００７】
また、前記画像情報の配送が予め登録された会員にのみ配送されることによって、画像サーバーの有効な利用が可能になる。（請求項２）
【０００８】
また、前記画像情報の配送が有料とすることによって、有料の画像配送システムを容易に構成できる。（請求項３）
【発明の効果】
【０００９】
請求項１に記載の発明では、画像情報を格納するハードディスク装置を中心とした複数の携帯部と、多数の画像情報を蓄積した画像サーバーとより構成される画像情報配送システムにおいて、前記各携帯部に識別信号を付与し、携帯部からの画像情報の配送要求に際して自己の識別信号を送付し、画像サーバーでは送付された識別信号を確認したものに対してのみ、要求された画像情報の配送を実行することによって、信頼性の高い画像情報配送システムを構成できる。
【００１０】
また、請求項２に記載の発明では、前記画像情報の配送が予め登録された会員にのみ配送されることによって、画像サーバーの有効な利用が可能になる。
また、請求項３に記載の発明では、前記画像情報の配送が有料とすることによって、有料の画像配送システムを容易に構成できる。
【発明を実施するための最良の形態】
【００１１】
本発明の実施の形態について図面を参照して詳細に説明する。
本発明は、画像情報を格納するハードディスク装置を含む画像記録再生装置の複数の携帯部と、多数の画像情報を蓄積した画像サーバーとより構成される画像情報配送システムにおける画像情報配送方法であり、図１に本発明の画像情報配送方法を適用した画像記録再生装置の参考例の構成を示す。
図１において、画像記録再生装置は携帯部１０と本体部１１に分割されている。
そして、携帯部１０は、画像情報を書き込みまたは読み出しするハードディスク装置１００１と、ユーザーが入力操作行う携帯操作部１０００と、該携帯操作部１０００によって画像情報を制御する画像情報制御回路１００４と、該画像情報制御回路１００４から入出力される画像情報を出力する通信制御回路１００５と、携帯部１０と本体部１１とが接続されているか否かを検出して、非接続時には無線通信に、接続時には有線通信に切り替える通信方式切り替えスイッチ１００８と、画像情報を無線通信で送受信する携帯部アンテナ１０１０と、携帯用内部電源１００７と、該携帯用内部電源を充電する内部電源充電回路１００６と、前記携帯用内部電源１００７の充電量を監視する内部電源監視回路１００２と、該内部電源監視回路１００２及び携帯部内の各回路の動作状況により回路の電源供給を管理する内部電源制御回路１００３と、画像情報制御回路１００４の状態と内部電源制御回路の状態をユーザーに知らせる表示部１００９と携帯操作部１０００が操作されていない時間を計測するスタンバイタイマー１０１１とを有している。
【００１２】
また、本体部１１は、電源１１０と、携帯部１０と本体部１１とが接続されているか否かを検出し、非接続時には無線通信、接続時は有線通信に切り替える通信方式切り替えスイッチ１１１と、画像情報を無線通信で送受信する本体アンテナ１１４と、画像情報を入出力する通信制御回路１１２と、通信制御回路１１２から出力された画像情報を表示装置１２に出力する画像情報出力回路１１３と、画像情報入力回路１１４とを有している。
また、この図１では、携帯部１０と本体部１１が接続されていない状態（コードレス状態）を示している。
【００１３】
画像処理が‘録画’の場合、画像情報入力回路１１４は放送局などから出力された画像情報を外部アンテナ（図示せず）で受信もしくはケーブルを通じて受信した画像情報を通信制御回路１１２へ出力する。
該画像情報は、本体アンテナ１１４から出力され携帯部アンテナ１０１０へ入力される。
一方、画像処理が‘再生’の場合、携帯部１０のハードディスク装置１００１に記録されていた画像情報を画像情報制御回路１００４から通信制御回路１００５を経て、携帯部アンテナ１０１０から出力され本体アンテナ１１４より本体部１１に入力される。
【００１４】
また、図２は、本発明の画像情報配送方法を適用した画像記録再生装置の携帯部１０と本体部１１が接続された構成例を示している。
この時、本体部１１の電源１１０は携帯部１０の内部電源充電回路１００６に充電用の電源を供給し、内部電源充電回路１００６は携帯用内部電源１００７を充電する。
また、携帯部１０の通信方式切り替えスイッチ１００８はスイッチを有線通信に切り替えられており、本体部１１の通信方式切り替えスイッチ１１１はスイッチを有線通信に切り替えられている。
【００１５】
映画像処理が‘録画’の場合、画像情報入力回路１１４は放送局などから出力された画像情報を外部アンテナ（図示せず）で受信もしくはケーブルを通じて受信する画像情報を通信制御回路１１２へ出力する。
該画像情報は、接続部を通じて本体部１１から携帯部１０へ入力される。
【００１６】
一方、画像処理が‘再生’の場合、携帯部１０のハードディスク装置１００１に記録されていた画像情報を画像情報制御回路１００４から通信制御回路１００５を経て、接続部を通じて携帯部１０から出力され本体部１１に入力される。
【００１７】
図１及び図２はユーザーが、放送局などから出力された画像情報を記録する場合を示しているが、画像記録再生装置は、専用の画像供給装置からの画像を記録することもできる。
図３は、本発明の画像情報配送方法を適用した画像情報配送システムを示す図であり、画像サーバー１３から出力された画像情報を携帯部１０へ入力して、ハードディスク装置１００１に記録する場合であり、画像記録再生装置のリムーバブルに扱えるメディアとしての特性を十分に活した状態を示している。
【００１８】
図３において、画像サーバー１３は、電源１３０と、サーバー操作部１３１と多数の画像情報が記録されたハードディスク装置１３４と、前記サーバー操作部１３１の指示により前記ハードディスク装置１３４から所定の画像情報を選択して通信制御回路１３３に出力する画像情報制御回路１３２と、携帯部１０に画像情報に出力する通信制御回路１３３とを有している。
【００１９】
この時、前記画像サーバー部１３の電源１３０は携帯部１０の内部電源充電回路１００６に充電用の電源を供給し、該内部電源充電回路１００６は携帯用内部電源１００７を充電する。
また、携帯部１０の通信方式切り替えスイッチ１００８はスイッチを有線通信に切り替えられている。
また、画像処理は‘録画’のみが選択されるようになっている。
前記画像サーバー部１３は多種多量の画像情報を格納したハードディスク装置１３４から、前記サーバー操作部１３１で指示された画像情報を選択し、前記画像情報制御回路１３２を経て前記通信制御回路１３３より出力される。
該画像情報は、接続部を通じて有線で画像サーバー部１３から携帯部１０へ入力される。
携帯部１０は画像サーバー部１３から入力された画像情報を通信制御回路１００５を経て、画像情報制御回路１００４によりハードディスク装置１００１に格納する。
【００２０】
前記説明では、前記サーバー操作部１３１で指示された画像情報を画像サーバー部１３に蓄積された多種多量の画像情報から、選択して前記画像情報制御回路１３２を経て前記通信制御回路１３３より、接続部を通じて携帯部１０へ入力されるようになっているが、携帯部１０の携帯操作部１０００からの選択によって画像情報の転送を実行することも可能である。
【００２１】
本発明の画像情報配送方法では、上述の画像記録装置における携帯部１０の携帯操作部１０００からの選択によって画像情報の転送を実行する場合には、携帯部に各々に識別番号を付与しておき、携帯部からの画像情報の転送要求時に、当該識別番号と共に要求する画像情報を送信するようにし、画像サーバー側では、識別番号を確認して画像情報の転送を実行するようにする。
上記の場合には、会員制の画像情報配送システムや有料の画像情報の配布システムに容易に変更が可能である。
【００２２】
次に、本発明の画像情報配送方法を適用した画像記録再生装置の動作を図５のフローチャートを参照して説明する。
ａ，携帯部１０の携帯操作部１０００にある電源スイッチがＯＮにすることにより、携帯部１０に電源供給が開始される。（ステップＳ１）
ｂ，次に、携帯部１０が画像サーバー１３に接続されているか否かを確認する。
（ステップＳ２）
ステップＳ２で、画像サーバー１３に接続されている場合は、通常の使用環境と異なりステップＳ２０に進む。また、画像サーバーに接続されていない場合は、ステップＳ３に進む。
ｃ，次に、キー操作待ち時間を計測するため、スタンバイタイマー１０１１をスタートさせる。（ステップＳ３）
ｄ，携帯操作部１０００に対するキー操作の有無を確認する。（ステップＳ４）ｅ，キー操作があった場合（ステップＳ４の判断がYESの場合）は、前記スタンバイタイマー１０１１を停止する。（ステップＳ７）
ｆ，前記携帯操作部の操作内容が録画か再生かを判断する。（ステップＳ８）
ｇ，ステップＳ８での判断が‘再生’の場合には、画像処理を‘再生’に設定する。（ステップＳ９）
ｈ，ステップＳ８での判断が‘録画’の場合には、画像処理を‘録画’に設定する。（ステップＳ１０）
ｉ，前記携帯部１０が前記本体部１１に接続されているか否かを判断する。（ステップＳ１１）
ｊ，前記携帯部１０が前記本体部１１に接続されている場合は、本体接続を‘有’とする。（ステップＳ１５）
ｋ，本体接続を‘有’とした後、前記本体部１１の電源１１０から前記携帯部１０の携帯部内部電源１００７に前記内部充電回路１００６を介して充電処理を行う。（ステップＳ１６）
ｌ，前記携帯部１０が前記本体部１１に接続されていない場合は、本体接続を‘無’とする。（ステップＳ１２）
ｍ，本体接続を‘無’とした後、前記携帯部１０の携帯部内部電源１００７の充電量が十分か否かの判断をする。（ステップＳ１３）
ｎ，ステップＳ１６で充電処理が終了するか、または、ステップＳ１３で充電量が十分と判断された場合には、画像情報の再生または録画に伴う画像情報制御処理を実行する。（ステップＳ１４）
ｏ，次に、ステップ１４における再生または録画に伴う画像処理が終了したか否かの判断をする。（ステップＳ１７）
ｐ，ステップＳ１７で、終了でないと判断された場合には、ステップＳ１１に戻る。また、ステップＳ１７で、終了と判断された場合には、前記スタンバイタイマー１０１１を再度スタートさせてステップＳ４で再度のキー操作を待つ。（ステップＳ１８）
ｑ，また、ステップＳ１３で携帯部内部電源１００７の充電量が十分でないと判断された場合には、携帯部１０の表示部１００９に内部電源が不十分との表示出力する。（ステップＳ１９）
ｒ，また、ステップＳ４で、携帯操作部１０００に対するキー操作が無しと判断された場合には、スタンバイタイマー１０１１の設定時間を経過したか否かを判断する。(ステップＳ５）
ｓ，ステップＳ５で設定時間を経過したと判断された場合には、携帯部１０電源スイッチをオフにして、処理を終了する。（ステップＳ２１）
これにより、電源シャットダウン用の割込タイマーとしてスタンバイタイマーを使用することが可能である。
ｔ，ステップＳ５で設定時間を経過していないと判断された場合には、電源スイッチがオフになっているか否かを判断する。（ステップＳ６）
また、ステップＳ６で、電源スイッチがオフでない場合（オンの場合）には、ステップ４に戻って、キー入力を待つ。
ｕ，ステップＳ６で電源スイッチがオフの場合には、そのまま終了する。
ｖ，ステップＳ２で、携帯部１０が画像サーバー１３に接続されていると判断された場合には、サーバー接続時の処理を行い、ステップＳ２１に進む。（ステップＳ２０）
ステップＳ２１では、携帯操作部１０００のキー操作を検知するために必要な回路のみに電源を供給し、それ以外の携帯部１０の回路への電源供給を停止し処理を終了する。
【００２３】
次に、ステップＳ２０における画像サーバ接続時の処理の詳細について、図６のフローチャートを用いて説明する。
v-1，ステップＳ２で、携帯部１０が画像サーバー１３に接続されていると判断された場合には、画像処理を‘録画’にする。（ステップＳ２０１）
v-2，次に、画像サーバ１３内の電源１３０から前記携帯部１０の携帯部内部電源１００７に対して内部電源充電回路１００６を介して充電する。（ステップＳ１６’）
v-3，次に、画像サーバのハードディスクに蓄積された多数の画像情報の内の任意の画像情報の録画に伴うステップＳ１４と同様の画像情報制御処理を実行する。
（ステップＳ１４’）
v-4，次に、ステップＳ１４’における画像情報制御処理が‘終了’し、かつ、ステップＳ１６’における携帯部内部電源１００７に対する充電が終了したか否か監視する。（ステップＳ２０２）
v-5，ステップＳ２０２において、どちらか一方か両方ともが終了していない場合は、電源スイッチがＯオフになっているかを確認し、電源スイッチがオフの場合はそのまま画像サーバ処理を終了し、電源スイッチがオフでない場合（オンの場合）はステップ１６’に戻る。（ステップＳ２０３）
また、ステップＳ２０２において、処理が終了し充電も終了している場合は、サーバー処理を終了する。
【００２４】
次に、ステップＳ１６における充電処理の詳細ついて図７のフローチャートを用いて説明する。
k-1，前記本体部１１の電源１１０（または、画像サーバ１３内の電源１３０）から前記携帯部１０の携帯部内部電源１００７に前記内部充電回路１００６を介して充電処理を行うステップＳ１６（または、ステップＳ１６’）の充電処理において、電源電圧が適正か否かを判断する。（ステップＳ１６１）
k-2，ステップＳ１６１で、電源電圧が適正と判断された場合には、携帯部内部電源１００７の充電が十分であるか否かの判断をする。（ステップＳ１６２）k-3，ステップＳ１６２で携帯部内部電源の充電が十分でないと判断された場合には、前記本体部１１の電源１１０（または、画像サーバ１３内の電源１３０）から前記携帯部１０の携帯部内部電源１００７に前記内部充電回路１００６を介して充電処理を実行する。（ステップＳ１６３）
k-4，ステップＳ１６２で携帯部内部電源の充電が十分であると判断された場合には、充電を終了する。（ステップＳ１６４）
【００２５】
次の、ステップＳ１４における画像情報制御処理の詳細について図８のフローチャートを用いて説明する。
n-1，画像情報の再生または録画に伴う画像情報制御処理（ステップＳ１４または、ステップＳ１４’）では画像処理が‘録画’であるか否かの判断をする。 
（ステップＳ１４０１）
n-2，ステップＳ１４０１で、録画でない（再生）と判断された場合には、画像情報制御回路１００４がハードディスク装置１００１内の画像情報の再生処理を実行する。（ステップＳ１４０２）
n-3，次に、ステップＳ１４０２の画像情報の再生処理が終了したか否かの判断をする。（ステップＳ１４０３）
n-4，ステップＳ１４０３で画像情報の再生処理が終了していると判断された場合には画像処理（この場合再生処理）を終了する。（ステップＳ１４０４）
n-5，ステップＳ１４０３で画像情報の再生処理が終了していない（再生中）と判断された場合には、携帯部１０が本体部１１と接続されているか否かの判断をする。（ステップＳ１４０５’）
n-6，ステップＳ１４０５’で、携帯部１０が本体部１１と接続されていると判断された場合には、携帯部通信制御回路１００５を送信出力に設定して、通信方式切り替えスイッチ１００８を有線通信に切り替える。これにより、再生された画像情報は接続部を介して携帯部１０から本体部１１へ有線で出力される。（ステップＳ１４０６）
n-7，ステップＳ１４０５’で、携帯部１０が本体部１１と接続されていないと判断された場合には、携帯部通信制御回路１００５を送信出力に設定して、通信方式切り替えスイッチ１００８を無線通信に切り替える。これにより、再生された画像情報は本体部１１（又は画像サーバ１３）から携帯部１０へ携帯部アンテナ１０１０と本体アンテナ１１４を介して無線で出力される。（ステップＳ１４０７）
n-8，ステップＳ１４０１で、録画と判断された場合には、携帯部１０が本体部１１と接続されているか否かの判断をする。（ステップＳ１４０５）
n-9，ステップＳ１４０５で、携帯部１０が本体部１１と接続されていると判断された場合には、携帯部通信制御回路１００５を受信入力に設定し、通信方式切り替えスイッチ１００８を有線通信に切り替える。これにより、本体部１１の画像情報入力回路１１４もしくはサーバー部１３のハードディスク装置１３４から得た画像情報は本体部１１（又は画像サーバ１３）から携帯部１０へ接続部を介して有線で出力される。（ステップＳ１４０８）
n-10，ステップＳ１４０５で、携帯部１０が本体部１１と接続されていないと判断された場合には、携帯部通信制御回路１００５を受信入力に設定し、通信方式切り替えスイッチ１００８を無線通信に切り替える。これにより、本体部１１の画像情報入力回路１１４から得た画像情報は本体部１１（又は画像サーバ１３）から携帯部１０へ携帯部アンテナ１０１０と本体アンテナ１１４を介して無線で出力される。（ステップＳ１４０９）
n-11，次に本体部１１の画像情報入力回路１１４（又はサーバー部１３のハードディスク装置１３４）から入力された画像情報は、携帯部１０の通信制御回路１００５に入力され、画像情報制御回路１００４によりハードディスク装置１００１に記録する録画処理を実行する。（ステップＳ１４１０）
n-12，次に、ステップＳ１４１０の画像情報の録画処理が終了したか否かの判断をする。（ステップＳ１４０３’）
n-13，ステップＳ１４０３’で画像情報の録画処理が終了していると判断された場合には画像処理を終了する。（ステップＳ１４０４’）
ステップＳ１４１０では通信制御回路１００５に入力された画像情報を画像情報制御回路１００４によりハードディスク装置１００１に記録する。ステップＳ１４０３’では、画像情報が終了したか確認し、映像が終了した場合はステップＳ１４０４で映像処理を‘終了’にする。
【００２６】
上記の例では、携帯部１０が画像サーバー部１３と未接続の状態で録画の映像処理は行わないものとしている。これは、画像記録再生装置の使用用途において、画像サーバーからの画像情報を得る場合に録画と同時に内部電源を充電した方が使用者の使い勝手を考えた際に便利であるため、充電が可能な接続状態を使用の前提と考えるためである。
【００２７】
上述の、本発明の画像情報配送方法を適用した画像記録再生装置によれば、画像記録再生装置を携帯部と本体部に分割し、それぞれを接続する通信ケーブルや電源ケーブルをなくすとともに、携帯部に設けた操作部による簡単な操作で画像情報をハードディスク装置に記録再生するように構成することにより、携帯性及び操作性を高めることができる。
【００２８】
また、電源シャットダウン用の割込タイマー（スタンバイタイマー）を用いて、一定時間、操作がなされない場合に、携帯部の操作部のキー操作を検知するために必要な回路のみに電源を供給することにより、携帯部の内部電源を有効に利用することができる。
【００２９】
次に、本発明の画像情報配送方法を適用した画像記録再生装置の別の参考例の構成を図４の示し、以下説明する。図４において、画像記録再生装置は携帯部１０と本体部１１に分割されている。
携帯部１０は、画像情報を書き込みまたは読み出しするハードディスク装置１００１とユーザーが入力操作を行う携帯操作部１０００と、該携帯操作部１０００によって画像情報を制御する画像情報制御回路１００４と、該画像情報制御回路１００４が入出力する画像情報を出力する通信制御回路１００５と、携帯部１０と本体部１１とが接続されているか否かを検出し、非接続時には無線通信、接続時は有線通信を切り替える通信方式切り替えスイッチ１００８と、画像情報を無線通信で送受信する携帯部アンテナ１０１０と、携帯用内部電源１００７と、該携帯用内部電源を充電する内部電源充電回路１００６と、携帯用内部電源１００７の充電量を監視する内部電源監視回路１００２と、該内部電源監視回路１００２及び携帯部内の各回路の動作状況により回路の電源供給を管理する内部電源制御回路１００３と、画像情報制御回路１００４の状態をユーザーに知らせる表示部１００９と、携帯操作部１０００が操作されていない時間を計測するスタンバイタイマー１０１１とを有している。
【００３０】
また、本体部１１は、電源１１０と、携帯部１０と本体部１１とが接続されているか否かを検出し、非接続時には無線通信、接続時は有線通信を切り替える通信方式切り替えスイッチ１１１と、画像情報を無線通信で送受信する本体アンテナ１１５と、画像情報を入力する通信制御回路１１２と、通信制御回路１１２から出力された画像情報を表示装置１２に出力する画像情報出力回路１１３と、画像情報入力回路１１４と、携帯部１０の内部電源監視回路１００２が確認した充電量の情報をチェックし、充電量が不十分の場合、通信制御回路１１２から入力された画像情報に充電量が不十分であるメッセージを加えて画像情報出力回路１１３に出力する携帯内部電源監視回路１１６と、を有している。
【００３１】
これにより、携帯部１０の表示部１００９は、携帯用内部電源１００７の充電量に関する情報を表示しなくてすむため、画像情報制御回路１００４の状態（例えば‘録画’や‘再生’）について表示するだけの簡易的なもので良くなり、携帯部１０をより小型化することが可能となる。
【００３２】
次に、前述の図５のフローチャートにおける携帯部内部電源の充電は十分か否かの判断を行うステップ１３の変形例を図９に示し、以下説明する。
【００３３】
図５のフローチャートに示す例では、携帯部１０が本体部１１（又は画像サーバ１３）と接続がない場合、携帯用内部電源が十分でない場合には、すぐに表示部に内部電源が不十分と出力し電源供給を停止していた。
このような手順であると、録画又は再生中であっても、突然画像情報制御処理が終了するという問題が生じることがある。
【００３４】
図９のフローチャートに示す例では、携帯部内部電源の充電は十分か否かの判断を行うステップを改良することによって、上記の問題を解決している。
m-1，内部電源の充電は十分か否かの判断を、携帯部内部電源１００７の充電量をチェックする際に複数のしきい値を用い、充電量をしきい値１と比較する。（ステップＳ１３０１）
m-2，ステップＳ１３０１で、しきい値１を下回った場合は、更に充電量をしきい値２と比較して、該しきい値２を下回っていない場合（充電量がしきい値１と２と中間の場合）には、表示部１００９に「内部電源充電量がしきい値１以下」と警告の表示（ステップＳ１３０６）行なって、そのまま画像情報制御処理を継続する。（ステップＳ１３０２）
m-3，ステップＳ１３０２で、しきい値２を下回った場合は、更に充電量をしきい値３と比較して、該しきい値３を下回っていない場合（充電量がしきい値２と３と中間の場合）には、表示部１００９に「内部電源充電量がしきい値２以下」と警告の表示（ステップＳ１３０７）行なって、そのまま画像情報制御処理を継続する。（ステップＳ１３０３）
m-n-1，ステップＳ１３０n-1で、しきい値n-1を下回った場合は、更に充電量をしきい値ｎ-1と比較して、該しきい値ｎ-1を下回っていない場合（充電量がしきい値n-2とｎ-1と中間の場合）には、表示部１００９に「内部電源充電量がしきい値n-2以下」と警告の表示（ステップＳ１３０８）行なって、そのまま画像情報制御処理を継続する。（ステップＳ１３０４）m-n，ステップＳ１３０８で、しきい値nを下回った場合は、更に充電量をしきい値ｎ-1と比較して、該しきい値ｎを下回っていない場合（充電量がしきい値n-1とｎと中間の場合）には、表示部１００９に「内部電源充電量がしきい値n-1以下」と警告の表示（ステップＳ１３０９）行なって、そのまま画像情報制御処理を継続し、しきい値ｎを下回った場合には、表示部１００９に「内部電源充電量が不十分」と表示して、ステップＳ２１で携帯部１０の電源供給を停止する。（ステップＳ１３０５）
【００３５】
携帯部内部電源の充電は十分か否かの判断を行うステップを上記の如くすることによって、利用者に対して突然画像情報制御処理が終了する不便さをなくすことができる。ただし、しきい値１＞しきい値２＞…＞しきい値ｎである。
【００３６】
また、図９のフローチャートでは携帯部１０に表示部１００９が内蔵する場合について示したが、本体部１１に同様な監視機能を有し、表示装置１２に充電量が各しきい値より下回った趣旨の警告を表示するようにしても良い。
また、ソフトウェアによるポーリングでシーケンスを示したが、ハードウェアによる割込処理でシーケンスを実行しても良い。
【図面の簡単な説明】
【００３７】
【図１】本発明の画像情報配送方法を適用した画像記録再生装置の参考例の構成を示し、その携帯部と本体部が非接続時の状態を示すブロック図である。
【図２】本発明の画像情報配送方法を適用した画像記録再生装置の参考例の構成を示し、その携帯部と本体部が接続時の状態を示すブロック図である。
【図３】本発明の画像情報配送方法を適用した画像情報配送システムを示すブロック図である。
【図４】本発明の画像情報配送方法を適用した画像記録再生装置の別の参考例の構成を示ブロック図である。
【図５】本発明の画像情報配送方法を適用した画像記録再生装置の参考例の動作を説明するためのフローチャートである。
【図６】本発明の画像情報配送方法を適用した画像記録再生装置の参考例の動作を説明するためのフローチャートである。
【図７】本発明の画像情報配送方法を適用した画像記録再生装置の参考例の動作を説明するためのフローチャートである。
【図８】本発明の画像情報配送方法を適用した画像記録再生装置の参考例の動作を説明するためのフローチャートである。
【図９】図５のフローチャートにおける携帯部内部電源の充電は十分か否かの判断を行うステップ１３の変形例のフローチャートである。
【符号の説明】
【００３８】
１０      画像記録再生装置携帯部
１１      画像記録再生装置本体部
１２      表示装置
１３      画像サーバー
１０００  携帯操作部
１００１  ハードディスク装置
１００２  内部電源監視回路
１００３  内部電源制御回路
１００４  画像情報制御回路
１００５  携帯部通信制御回路
１００６  内部電源充電回路
１００７  携帯用内部電源
１００８  携帯部通信方式切り替えスイッチ
１００９  表示部
１０１０  携帯部アンテナ
１０１１  スタンバイタイマー
１１０    本体電源
１１１    本体部通信方式切り替えスイッチ
１１２    本体部通信制御回路
１１３    画像情報出力回路
１１４    画像情報入力回路
１１５    本体部アンテナ
１１６    携帯内部電源監視回路
１３０    サーバー電源
１３１    サーバー操作部
１３２    サーバー部画像情報制御回路
１３３    サーバー部通信制御回路
１３４    サーバー部ハードディスク装置
【図１】
2005295552.tif 000003
【図２】
2005295552.tif 000004
【図３】
2005295552.tif 000005
【図４】
2005295552.tif 000006
【図５】
2005295552.tif 000007
【図６】
2005295552.tif 000008
【図７】
2005295552.tif 000009
【図８】
2005295552.tif 000010
【図９】
2005295552.tif 000011